(57)【要約】【課題】熱交換器と本体部との接合において熱交換器のブラケットの変形を防ぐこと。【解決手段】クロスフローファン４が取り付けられる本体部３と、熱交換器に固定されて本体部３に対して取り付けられる熱交換器ブラケット６Ａと、を有する空気調和機において、熱交換器ブラケット６Ａの外側に突出して設けられてネジ２１の頭部を支持するネジ受部６Ａａと、本体部３に設けられてネジ２１が螺合されるネジ締付部３ａと、ネジ受部６Ａａおよびネジ締付部３ａがネジ２１により接合される位置の内側の接合端に設けられて熱交換器ブラケット６Ａを空気調和機筐体における外側とし本体部３側を空気調和機筐体における内側として相互に噛み合う嵌合段部２２と、を備える。【選択図】図７
2017129309.tif 000002
【特許請求の範囲】
【請求項１】
送風機が取り付けられる本体部と、
熱交換器に固定されて前記本体部に対して取り付けられるブラケットと、を有する空気調和機において、
前記ブラケットの外側に突出して設けられてネジの頭部を支持するネジ受部と、
前記本体部に設けられて前記ネジが螺合されるネジ締付部と、
前記ネジ受部および前記ネジ締付部が前記ネジにより接合される位置の内側の接合端に設けられて前記ブラケット側を空気調和機筐体における外側とし前記本体部側を前記空気調和機筐体における内側として相互に噛み合う嵌合段部と、
を備えることを特徴とする空気調和機。
【請求項２】
前記接合端において、前記ブラケットから突出して前記本体部の外側に向く壁面に沿って配置される突リブをさらに備えることを特徴とする請求項１に記載の空気調和機。
【請求項３】
前記突リブは、補強リブが設けられることを特徴とする請求項２に記載の空気調和機。
【請求項４】
前記突リブは、前記本体部に設けられた本体ドレンパンから通じる樋の内部の上方位置に設けられることを特徴とする請求項２または３に記載の空気調和機。
【請求項５】
前記嵌合段部は、前記本体部に設けられた本体ドレンパンから通じる樋に設けられることを特徴とする請求項１〜４のいずれか１つに記載の空気調和機。
【発明の詳細な説明】
【技術分野】
【０００１】
本発明は、空気調和機に関するものである。
【背景技術】
【０００２】
従来、例えば、特許文献１には、熱交換器および送風機などが組み付けられる本体部（ベース本体）を備える空気調和機が示されている。
【０００３】
このような空気調和機において、熱交換器と本体部とは、熱交換器の側部に設けられたブラケットと本体部とがネジにより締結して接合される。
【先行技術文献】
【特許文献】
【０００４】
【特許文献１】特開２０１３−１２４８５５号公報
【発明の概要】
【発明が解決しようとする課題】
【０００５】
上述した熱交換器のブラケットと本体部とのネジによる接合は、ネジの締め付けが強すぎると、ブラケットが変形する場合がある。ブラケットが変形すると、本体部に組み付けられる送風機とブラケットとのクリアランスが狭くなり、場合によっては送風機がブラケットに接触するおそれがある。
【０００６】
本発明は、上述した課題を解決するものであり、熱交換器と本体部との接合において熱交換器のブラケットの変形を防ぐことのできる空気調和機を提供することを目的とする。
【課題を解決するための手段】
【０００７】
上述の目的を達成するために、本発明の空気調和機は、送風機が取り付けられる本体部と、熱交換器に固定されて前記本体部に対して取り付けられるブラケットと、を有する空気調和機において、前記ブラケットの外側に突出して設けられてネジの頭部を支持するネジ受部と、前記本体部に設けられて前記ネジが螺合されるネジ締付部と、前記ネジ受部および前記ネジ締付部が前記ネジにより接合される位置の内側の接合端に設けられて前記ブラケット側を空気調和機筐体における外側とし前記本体部側を前記空気調和機筐体における内側として相互に噛み合う嵌合段部と、を備えることを特徴とする。
【０００８】
この空気調和機によれば、ネジによりネジ受部およびネジ締付部が接合される際、ネジの締め付け具合によりブラケットが本体部に対して外側に傾くように変形しようとしても、嵌合段部がブラケット側を外側とし本体部側を内側として相互に噛み合っていることで、当該変形を抑制する。従って、熱交換器と本体部との接合においてブラケットの変形を防ぐことができる。
【０００９】
また、本発明の空気調和機では、前記接合端において、前記ブラケットから突出して前記本体部の外側に向く壁面に沿って配置される突リブをさらに備えることを特徴とする。
【００１０】
この空気調和機によれば、突リブを備えることで、ネジの締め付け具合によりブラケットが本体部に対して外側に傾く変形をより抑える。従って、熱交換器と本体部との接合においてブラケットの変形を防ぐ効果を顕著に得ることができる。
【００１１】
また、本発明の空気調和機では、前記突リブは、補強リブが設けられることを特徴とする。
【００１２】
この空気調和機によれば、補強リブを設けて突リブを補強することで、ブラケットが本体部に対して外側に傾く変形を抑える強度を向上する。従って、熱交換器と本体部との接合においてブラケットの変形を防ぐ効果を顕著に得ることができる。
【００１３】
また、本発明の空気調和機では、前記突リブは、前記本体部に設けられた本体ドレンパンから通じる樋の内部の上方位置に設けられることを特徴とする。
【００１４】
この空気調和機によれば、樋に流れる水から突リブを離すため、突リブと本体部の壁面との隙間で水を吸い上げることを防止できる。
【００１５】
また、本発明の空気調和機では、前記嵌合段部は、前記本体部に設けられた本体ドレンパンから通じる樋に設けられることを特徴とする。
【００１６】
この空気調和機によれば、ブラケットが本体部に対して外側に傾く変形を樋の位置で抑えるため、樋でのブラケットと本体部との隙間の発生を抑えることができ、樋に流れる水が本体部の内側に引き込まれて送風機により飛散される事態を防ぐことができる。
【発明の効果】
【００１７】
本発明によれば、熱交換器と本体部との接合において熱交換器のブラケットの変形を防ぐことができる。
【図面の簡単な説明】
【００１８】
【図１】図１は、本発明の実施形態に係る空気調和機の分解斜視図である。
【図２】図２は、本発明の実施形態に係る空気調和機における本体部および熱交換器ブラケットの側面図である。
【図３】図３は、本発明の実施形態に係る空気調和機における本体部の側面図である。
【図４】図４は、本発明の実施形態に係る空気調和機における本体部の要部拡大正面図である。
【図５】図５は、本発明の実施形態に係る空気調和機における熱交換器ブラケットの側面図である。
【図６】図６は、本発明の実施形態に係る空気調和機における熱交換器ブラケットの要部拡大斜視図である。
【図７】図７は、本発明の実施形態に係る空気調和機における本体部および熱交換器ブラケットの要部拡大底面図である。
【発明を実施するための形態】
【００１９】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００２０】
図１は、本実施形態に係る空気調和機の分解斜視図である。図２は、本実施形態に係る空気調和機における本体部および熱交換器ブラケットの側面図である。図３は、本実施形態に係る空気調和機における本体部の側面図である。図４は、本実施形態に係る空気調和機における本体部の要部拡大正面図である。図５は、本実施形態に係る空気調和機における熱交換器ブラケットの側面図である。図６は、本実施形態に係る空気調和機における熱交換器ブラケットの要部拡大斜視図である。図７は、本実施形態に係る空気調和機における本体部および熱交換器ブラケットの要部拡大底面図である。
【００２１】
図１に示す空気調和機１は、壁掛け型の空気調和機である。この空気調和機１は、壁面に設置される据え付け板２と、据え付け板２に装着される本体部３と、本体部３に組み付けられる送風機（クロスフローファン）４およびその駆動モータ５と、本体部３に組み付けられる熱交換器６と、熱交換器６の一側から後方に延長される冷媒配管７と、本体部３に組み付けられるコントロールボックス８と、本体部３に組み付けられる吹出口アセンブリ９と、本体部３に組み付けられた各機器類の正面、上下面および左右側面を覆うように本体部３に組み付けられるフロントカバー１０と、フロントカバー１０に組み込まれるエアフィルタ１１Ａおよびその清掃機構１１Ｂと、フロントカバー１０にその正面を覆うように取り付けられるフロントパネル１２などを組み立てることにより構成されるものである。
【００２２】
本体部３は、空気調和機１の背面側に位置し、壁面に設置された据え付け板２に装着されることにより、空気調和機１を据え付け支持するものである。本体部３は、Λ形に曲げ形成された熱交換器６の背面側の下方に配置される本体ドレンパン３Ａが形成されている。クロスフローファン４は、本体部３の風路に沿って水平に配設される筒状の羽根車を備えたものであり、駆動モータ５を介して本体部３に回転自在に支持されている。
【００２３】
熱交換器６は、本体部３の正面側に取り付けられ、Λ形に折り曲げ形成されたフィンアンドチューブ形熱交換器であり、クロスフローファン４の上面および正面を覆うように設置される。熱交換器６は、その一側から冷媒を循環させるための冷媒配管７が後方に延長されている。この熱交換器６は、その他側に本体部３に対して固定される熱交換器ブラケット（ブラケット）６Ａが設けられている。
【００２４】
また、熱交換器６の正面側の下方部位には、排水ドレンパン１３、クロスフローファン４の風路を形成するスタビライザ１４、風向調整用のルーバーおよびフラップ等が組み込まれた吹出し口１５などが設けられた吹出口アセンブリ９が組み付けられるようになっている。排水ドレンパン１３は、ここに溜められた水を排水するための排水ホース１３Ａが取り付けられている。
【００２５】
コントロールボックス８は、本体部３の右側部に組み込まれ、リモコンからの指令によって空気調和機１の運転を制御するものである。フロントカバー１０は、本体部３に組み込まれた上記機器類の正面、上下面および左右側面を覆うものであり、上面および正面に室内空気を吸込むための吸込みグリル１６が形成されている。この吸込みグリル１６には、吸込みグリル１６を介して吸込まれる室内空気中の塵埃を収集するエアフィルタ１１Ａおよびエアフィルタ１１Ａで収集した塵埃をフィルタ面から除去し、エアフィルタ１１Ａを自動清掃する清掃機構１１Ｂが組み込まれている。また、吸込みグリル１６の正面には、フロントパネル１２が上部を支点に開閉可能に組み付けられている。
【００２６】
図２に示すように、クロスフローファン４が取り付けられた本体部３と、熱交換器６の側部の熱交換器ブラケット６Ａとは、２つのネジ２１により互いに固定されている。そのうち、クロスフローファン４の回転軸４ａの近傍のネジ２１で固定される部分において、本体部３は、図２〜図４および図７に示すように、ネジ２１が螺合されるネジ締付部３ａが形成されている。一方、熱交換器ブラケット６Ａは、図２、図５〜図７に示すように、ネジ２１の頭部を支持するネジ受部６Ａａが形成されている。従って、ネジ２１をネジ受部６Ａａに通してネジ締付部３ａに螺合することで、ネジ受部６Ａａとネジ締付部３ａとが付き合わされて本体部３と熱交換器ブラケット６Ａとが接合される。
【００２７】
図２〜７に示すように、壁掛け型の空気調和機１について、壁側の据え付け板２側を背面側、これと対面するフロントパネル１２側を正面側とする。正面視上下を上側、下側とし、以降の内側、外側との表現は空気調和機１の筐体における内外をいう。また、空気調和機１の筐体（空気調和機筐体ともいう）とは、上述した本体部３と熱交換器ブラケット６Ａとが接合された形態であり、熱交換器６が配置される側を内側とし、後述する樋３ｄが設けられる側を外側とする。
【００２８】
また、図２〜図７に示すように、ネジ受部６Ａａおよびネジ締付部３ａの近傍において本体部３と熱交換器ブラケット６Ａとが接合される接合端に、嵌合段部２２が設けられている。嵌合段部２２は、熱交換器ブラケット６Ａ側において突片６Ａｂおよびこの突片６Ａｂが突設する端縁６Ａｂａからなる段部と、本体部３側において突片３ｂおよび突片３ｂが突設される端縁３ｂａからなる段部とで構成される。熱交換器ブラケット６Ａ側の段部は、図６および図７に示すように、突片６Ａｂが端縁６Ａｂａの外側寄りで、熱交換器ブラケット６Ａと接合する本体部３側に突出して形成されている。本体部３側の段部は、図４および図７に示すように、突片３ｂが端縁３ｂａの内側寄りで、本体部３と接合する熱交換器ブラケット６Ａ側に突出して形成されている。この嵌合段部２２は、本体部３と熱交換器ブラケット６Ａとの接合において、熱交換器ブラケット６Ａ側と本体部３側とが互いに噛み合う部分である。具体的に、嵌合段部２２は、図２、図４および図７に示すように、熱交換器ブラケット６Ａ側の突片６Ａｂが本体部３側の突片３ｂに対して外側に配置されて本体部３側の端縁３ｂａに先端を向け、本体部３側の突片３ｂが熱交換器ブラケット６Ａ側の突片６Ａｂに対して内側に配置されて熱交換器ブラケット６Ａ側の端縁６Ａｂａに先端を向けて相互に噛み合う。すなわち、嵌合段部２２は、熱交換器ブラケット６Ａ側が外側で本体部３側が内側となって凹凸が噛み合うインロー構造をなしている。
【００２９】
また、図２、図４〜図６に示すように、ネジ受部６Ａａおよびネジ締付部３ａの近傍において本体部３と熱交換器ブラケット６Ａとが接合される接合端において、熱交換器ブラケット６Ａに突リブ６Ａｃが形成されている。突リブ６Ａｃは、熱交換器ブラケット６Ａの背面側（本体部３側）に向けて突出して形成され、図４に示すように、本体部３と熱交換器ブラケット６Ａとの接合において、本体部３の外側に向く壁面３ｃに沿って配置される。また、突リブ６Ａｃは、図４に示すように、本体部３の壁面３ｃに沿う側と反対側の中央で突条に設けられた補強リブ６Ａｃａが設けられている。突リブ６Ａｃは、図４および図６に示すように、補強リブ６Ａｃａを有することで全体としてＴ字形状をなして補強される。なお、図には明示しないが、補強リブ６Ａｃａは、突リブ６Ａｃの側部で突条に設けられて突リブ６Ａｃを全体としてＬ字形状として補強する構成であってもよく、突リブ６Ａｃの両側部で突条に設けられて突リブ６Ａｃを全体としてコ字形状として補強する構成であってもよい。
【００３０】
ところで、本体部３は、熱交換器ブラケット６Ａと接合される側部に本体ドレンパン３Ａから繋がる樋３ｄが設けられている。樋３ｄは、本体部３に組み付けられる吹出口アセンブリ９に設けられた排水ドレンパン１３に向けた排水口３ｄａが設けられ、排水ドレンパン１３に水を送る。この樋３ｄは、図４に示すように、ネジ締付部３ａの近傍に設けられ、その一部に嵌合段部２２である本体部３側の突片３ｂおよび端縁３ｂａが設けられている。すなわち、樋３ｄは、その近傍で本体部３と熱交換器ブラケット６Ａとがネジ２１で接合され、その一部が嵌合段部２２により本体部３と熱交換器ブラケット６Ａとが互いに噛み合って嵌合する。また、熱交換器ブラケット６Ａに設けられた突リブ６Ａｃは、樋３ｄの内部において本体部３の外側に向く壁面３ｃに沿って配置される。この構成において、突リブ６Ａｃは、図４に示すように、樋３ｄの内部の上方位置に設けられる。
【００３１】
このように、本実施形態の空気調和機１は、クロスフローファン（送風機）４が取り付けられる本体部３と、熱交換器６に固定されて本体部３に対して取り付けられる熱交換器ブラケット６Ａと、を有するもので、熱交換器ブラケット６Ａの外側に突出して設けられてネジ２１の頭部を支持するネジ受部６Ａａと、本体部３に設けられてネジ２１が螺合されるネジ締付部３ａと、ネジ受部６Ａａおよびネジ締付部３ａがネジ２１により接合される位置の内側の接合端に設けられて熱交換器ブラケット６Ａ側を空気調和機筐体における外側とし本体部３側を空気調和機筐体における内側として相互に噛み合う嵌合段部２２と、を備える。
【００３２】
この空気調和機１によれば、ネジ２１によりネジ受部６Ａａおよびネジ締付部３ａが接合される際、ネジ２１の締め付け具合により熱交換器ブラケット６Ａが本体部３に対して外側に傾くように変形しようとしても、嵌合段部２２が熱交換器ブラケット６Ａ側を外側とし本体部３側を内側として相互に噛み合っていることで、当該変形を抑制する。従って、熱交換器６と本体部３との接合において熱交換器ブラケット６Ａの変形を防ぐことができる。
【００３３】
また、本実施形態の空気調和機１では、接合端において、熱交換器ブラケット６Ａから突出して本体部３の外側に向く壁面３ｃに沿って配置される突リブ６Ａｃをさらに備えることが好ましい。
【００３４】
この空気調和機１によれば、突リブ６Ａｃを備えることで、ネジ２１の締め付け具合により熱交換器ブラケット６Ａが本体部３に対して外側に傾く変形をより抑える。従って、熱交換器６と本体部３との接合において熱交換器ブラケット６Ａの変形を防ぐ効果を顕著に得ることができる。
【００３５】
また、本実施形態の空気調和機１では、突リブ６Ａｃは、補強リブ６Ａｃａが設けられることが好ましい。
【００３６】
この空気調和機１によれば、補強リブ６Ａｃａを設けて突リブ６Ａｃを補強することで、熱交換器ブラケット６Ａが本体部３に対して外側に傾く変形を抑える強度を向上する。従って、熱交換器６と本体部３との接合において熱交換器ブラケット６Ａの変形を防ぐ効果を顕著に得ることができる。
【００３７】
また、本実施形態の空気調和機１では、突リブ６Ａｃは、本体部３に設けられた本体ドレンパン３Ａから通じる樋３ｄの内部の上方位置に設けられることが好ましい。
【００３８】
この空気調和機１によれば、樋３ｄに流れる水から突リブ６Ａｃを離すため、突リブ６Ａｃと本体部３の壁面３ｃとの隙間で水を吸い上げることを防止できる。なお、樋３ｄの内部に突リブ６Ａｃを配置すると、本体部３側に突リブ６Ａｃを挿入する部分を新たに設ける設計変更が必要ない。
【００３９】
また、本実施形態の空気調和機１では、嵌合段部２２は、本体部３に設けられた本体ドレンパン３Ａから通じる樋３ｄに設けられることが好ましい。
【００４０】
この空気調和機１によれば、熱交換器ブラケット６Ａが本体部３に対して外側に傾く変形を樋３ｄの位置で抑えるため、樋３ｄでの熱交換器ブラケット６Ａと本体部３との隙間の発生を抑えることができ、樋３ｄに流れる水が本体部３の内側に引き込まれてクロスフローファン４により飛散される事態を防ぐことができる。
【符号の説明】
【００４１】
１  空気調和機
３  本体部
３ａ  ネジ締付部
３ｂ  突片
３ｂａ  端縁
３ｃ  壁面
３ｄ  樋
３Ａ  本体ドレンパン
４  クロスフローファン（送風機）
６  熱交換器
６Ａ  熱交換器ブラケット
６Ａａ  ネジ受部
６Ａｂ  突片
６Ａｂａ  端縁
６Ａｃ  突リブ
６Ａｃａ  補強リブ
２１  ネジ
２２  嵌合段部
【図１】
2017129309.tif 000003
【図２】
2017129309.tif 000004
【図３】
2017129309.tif 000005
【図４】
2017129309.tif 000006
【図５】
2017129309.tif 000007
【図６】
2017129309.tif 000008
【図７】
2017129309.tif 000009